(57)【要約】      （修正有）【課題】図柄や写真等をコンクリート表面に転写する化粧コンクリート形成技術に関し、従来技術の、コスト高への誘因でもある煩雑な作業性の解消と、コンクリート面への緻密な図柄や写真の転写に益する技術を提供する。【解決手段】ドット化処理された（網点化された）図柄や写真のデータに基づいて金属の板、またはアクリル等樹脂素材のシートに、プレス、またはレーザーによって多数の孔開け転写加工を行い、該シートをコンクリート表面に密着させ、１５０Ｍｐａ程度の超高圧洗浄機からの吐出水で、シートの多孔で露出しているコンクリート表面を切削し、コンクリート表面に図柄や写真等をコンクリート表面に転写する描画技術。【効果】煩雑な作業性の解消が図られ、施工手順が大幅に簡素化され、コストダウンが図れる。さらに、凝結完了段階のコンクリートを使用するので、コンクリートの打設の技術に左右されることが、全くなくなる。【選択図】なし【特許請求の範囲】
【請求項１】
金属の板、またはアクリル等樹脂素材のシートを、プレス、またはレーザーによって多数の孔開け加工を行った金型と、１５０Ｍｐａ前後の高圧水を吐出できる超高圧洗浄機（以下超高圧洗浄機と表記）を用いることを特徴とした、コンクリート表面に図柄や写真等をコンクリート表面に切削して転写する描画技術。
【請求項２】
図柄や写真等をドット化処理する（網点化する）工程と、該ドット化処理した（網点化した）データを金属の板、またはアクリル等樹脂素材のシートに、プレス、またはレーザーによって多数の孔開け加工を行って転写する工程と、該加工された金属の板、またはアクリル等樹脂素材のシートをコンクリート表面に密着させる工程と、超高圧洗浄機からの吐出水で、該コンクリート表面に密着された金属の板、またはアクリル等樹脂素材のシートの穴で露出しているコンクリート表面を切削する工程からなることを特徴とする、請求項１にあるような、金属の板、またはアクリル等樹脂素材のシートを、プレス、またはレーザーによって多数の孔開け加工を行った金型と、超高圧洗浄機を用いることを特徴とした、コンクリート表面に図柄や写真等をコンクリート表面に切削して転写する描画技術。
【請求項３】
請求項２において、超高圧洗浄機からの吐出水で、加工された金属の板、またはアクリル等樹脂素材のシートの穴で露出しているコンクリート表面を切削する工程では、該超高圧洗浄機の適正な吐出水圧及び吐出水量は、加工された金属の板、またはアクリル等樹脂素材のシートの穴で露出しているコンクリート表面を切削する際、過度なコンクリート破壊にいたらぬよう適正なコンクリート切削を保つため、吐出水圧は１００〜２００Ｍｐａ程度、吐出水量は毎分２〜６Ｌ程度であることを特徴とした、請求項１にあるような、金属の板、またはアクリル等樹脂素材のシートを、プレス、またはレーザーによって多数の孔開け加工を行った金型と、超高圧洗浄機を用いることを特徴とした、コンクリート表面に図柄や写真等をコンクリート表面に切削して転写する描画技術。
【請求項４】
請求項２において、プレス、またはレーザーによって多数の孔開け加工された金属の板、またはアクリル等樹脂素材のシートの穴で露出しているコンクリート表面を切削する際、超高圧洗浄機からの吐出水に顔料を混入させることを特徴とした、切削面を着色する描画技術。
【発明の詳細な説明】
【技術分野】
【０００１】  この発明は、図柄や写真等をコンクリート表面に転写する化粧コンクリート形成技術に関わり、金属の板またはアクリル等樹脂素材に多数の穴を開けた金型と１５０Ｍｐａ前後の高圧水を用い、コンクリート表面に図柄や写真等の転写等に益する工法に関する。
【背景技術】
【０００２】  図柄や写真等をコンクリート表面に転写する化粧コンクリート形成技術のうち、コンクリート舗装面への描画技術では、コンクリート舗装面の表面に石を露出させて化粧用路面を作る方法として、下地コンクリートを打設後、上層に石が混じった化粧用コンクリートを打設して、下地コンクリートと化粧用コンクリートとを一体にした後に、表面のコンクリートをサンドブラストで除去し、石を表面に露出させて化粧用路面を作る方法が提案されている。また、化粧路面に所定模様の凹部を作る方法として、表面の化粧用コンクリートが硬化する前に、ゴム型等で型押しするという手段が提案されている。敷石または、壁面への図柄や写真等をコンクリート表面に転写する描画技術では、コンクリート凝結遅延剤を型枠に塗布し、打設したコンクリートの凝結後に遅延剤によって凝結が遅れている部位を洗い流すことで図柄や写真等をコンクリート表面に転写する工法が提案されているが（特願昭６１−１７９２９５、特願２００６−３４７２５０、特願平９−９６９）、型枠に直接遅延剤を塗布する方法とフィルム等シートに塗布し型枠に貼り付ける方法が開示されている。フィルム等シートに塗布し型枠に貼り付ける方法では、凝結遅延剤をインキ素材として使用し、フィルム等シートに印刷する方法が提供されている（特願昭６１−１７９２９５）。
【発明の開示】
【発明が解決しようとする課題】
【０００３】  下地コンクリートを打設後、上層に石が混じった化粧用コンクリートを打設して、下地コンクリートと化粧用コンクリートとを一体にした後に、表面のコンクリートをサンドブラストで除去し、石を表面に露出させて化粧用路面を作る技術では、サンドブラストを用いることで、図柄や写真等をコンクリート表面に転写する技術としては、切削程度の不十分さの指摘がされているし、下地コンクリートと化粧用コンクリートとを一体にすることによるコスト高も指摘されている。さらに、サンドブラストによって骨材を破壊することによる描画への影響も指摘されている。表面の化粧用コンクリートが硬化する前に、ゴム型等で型押のしするという技術では、緻密な表現が困難であることが指摘されているし、硬化前のコンクリートを使用することから、施工上の制約が指摘されている。コンクリート表面凝結遅延剤をインキ素材として使用し、フィルム等シートに印刷する技術では、未凝結段階のコンクリートを使用することから、描画の成否は豆板（所謂ジャンカ）や、コールドジョイントの発生防止等、コンクリートの打設の技術に負うところが多く、また型枠の形状による制約も多いことが指摘される。さらに、既存のコンクリート面への描写は不可能という点も指摘される【０００４】  そこで本発明は、従来技術の、コスト高への誘因でもある煩雑な作業性の解消と、コンクリート面への緻密な図柄や写真の転写に益する技術を提供することを課題とする。
【課題を解決するための手段】
【０００５】  以上の課題を解決するために、請求項１の発明は、金属の板、またはアクリル等樹脂素材のシートを、プレス、またはレーザーによって多数の孔開け加工を行った金型と、１５０Ｍｐａ前後の高圧水を吐出できる超高圧洗浄機（以下超高圧洗浄機と表記）を用いて、コンクリート表面を切削して図形や写真等絵柄を転写する技術を提供した。請求項２の発明は、金属の板、またはアクリル等樹脂素材のシートに、プレス、またはレーザーによって多数の孔開け加工を行って転写する工程と、超高圧洗浄機からの吐出水で、コンクリート表面に密着された金属の板、またはアクリル等樹脂素材のシートの穴で露出しているコンクリート表面を切削し、コンクリート表面に図柄や写真等をコンクリート表面に転写する描画技術する工程を提供した。請求項３の発明は、コンクリート表面を切削する際、過度なコンクリート破壊にいたらぬよう適正なコンクリート切削を保つため、超高圧洗浄機の吐出水圧は１００〜２００Ｍｐａ程度、吐出水量は毎分２〜６Ｌ程度であることを提供した。請求項４の発明は、超高圧洗浄機からの吐出水に顔料を混入させることにより、切削面を着色する描画技術を提供した。
【発明の効果】
【０００６】  金属の板、またはアクリル等樹脂素材に多数の孔開け加工を行った金型と超高圧洗浄機を用いて、コンクリート表面に切削して図形や写真等絵柄を転写する技術の提供で、煩雑な作業性の解消が図られ、施工手順が従来技術に比較して大幅に簡素化され、コストダウンが図れる。【０００７】  さらに、超高圧洗浄機の水のみでコンクリートを切削するため、骨材を破壊することがなく、描画への影響がない。【０００８】  さらに、凝結完了段階のコンクリートを使用するので、描画の成否は豆板（所謂ジャンカ）や、コールドジョイントの発生等、コンクリートの打設の技術に左右されることが、全くなくなる。また、凝結完了段階のコンクリートを使用するので、描画の成否を確認しながら作業ができることになった結果、成否の確認が不可能で修正ができない未凝結コンクリート段階での従来技術の欠点を克服でき、コンクリ−ト面への緻密な図柄や写真の転写に益する技術を提供することができる。【０００９】  さらに、超高圧洗浄機からの吐出水に顔料を混入させることにより、切削面を着色する描画技術を提供した。このことにより、コンクリ−ト面に全く新規性のある表情の図柄や写真の転写の技術を提供することができる。
【発明を実施するための最良の形態】
【００１０】  以下、本発明の実地の形態について説明する。
本発明の，化粧コンクリート形成技術に関し、金属の板、またはアクリル等樹脂素材に多数の穴を開けた金型と１５０Ｍｐａ前後の高圧水を用いた技術は、ドット化処理された（網点化された）図柄や写真、該図柄や写真のデータに基づいて金属の板、またはアクリル等樹脂素材のシートに、プレス、またはレーザーによって多数の孔開け転写加工を行ったシート、１５０Ｍｐａ前後の高圧水を吐出できる超高圧洗浄機から構成される。すなわち、▲１▼図柄や写真等絵柄をドット化（網点化）する工程、▲２▼ドット化（網点化）された図柄や写真のデータに基づいて、金属の板、またはアクリル等樹脂素材のシートに、プレス、またはレーザーによって多数の孔開け転写加工を行う工程、▲３▼多孔転写加工された金属の板、またはアクリル等樹脂素材のシートをコンクリート表面に密着させる工程、▲４▼該金属の板、またはアクリル等樹脂素材のシートの多孔で露出しているコンクリート表面を超高圧洗浄機で切削する工程からなる。